(57)【特許請求の範囲】
【請求項１】
衝撃緩衝材と吸音材とを下地材の裏面に交互に配して貼着し、該下地材の表面には制振粘弾性層を介して高比重遮音制振材を貼着積層した制振防音床材であって、
前記下地材と略相似形をなした前記高比重遮音制振材は、該下地材より各辺において長く、
該高比重遮音制振材と該下地材とを並行にずらして貼着積層したことを特徴とする制振防音床材。
【請求項２】
請求項１に記載の制振防音床材を用いた床構造であって、該遮音制振材同士を突き当てた場合に、隣接する下地材間に一定の間隙を確保して縦横に敷き詰めたことを特徴とする床構造。
【発明の詳細な説明】
【技術分野】
【０００１】
この発明は、特に多層階住宅において上層階で生じる振動や音の階下への伝播を防ぐために用いられる制振防音床材および該床材を用いた床構造に関する。
【背景技術】
【０００２】
床材に対する制振、防音対策として、これまで様々な取り組みが見られる。例えば、基材合板の表面に粘弾性を有する接着剤層を介して制振シートを積層し、制振シートに該接着剤層を介して表層合板を積層し、基材合板の裏面にクッション材を粘着させた技術が知られている（特許文献１参照）。
【０００３】
上記技術によれば、制振シートに含浸した接着剤が固化して制振シートの床衝撃エネルギーを抑制する効果を損なうことを防ぐことができるとする。
【０００４】
また、多層階住宅における防音対策として、同種又は異種からなる少なくとも２枚の建築用板を、制振接着剤で貼り合せてなる建築用複合板が知られている（特許文献２参照）。
【０００５】
上記技術は、従来の制振シートを利用した技術における施工時の煩雑さや歩行感覚の違和感を解消しつつ、制振防音効果が期待できるとする。
【先行技術文献】
【特許文献】
【０００６】
【特許文献１】実開平４−８２２４７号公報
【特許文献２】特開平９−２０３１５３号公報
【発明の概要】
【発明が解決しようとする課題】
【０００７】
然しながら上記いずれの先行技術文献に係る技術によっても、床材単体としてある程度の制振防音効果は期待できるところ、施工上、複数の床材を縦横に連続して設置せざるを得ないことに鑑みれば、特定の床材に生じた衝撃が隣接する床材に伝播することは避けられない。
【０００８】
この点に鑑みて、本発明は、生じた衝撃による振動や音を吸収し、且つ施工効率を高める工夫を凝らした床材であって、特定の床材に生じた衝撃を縦横に隣接する床材に伝わることを防ぐことで部屋全体としての効果的な制振、防音効果を奏する制振防音床材および該床材を用いた床構造を提供することを課題とする。
【課題を解決するための手段】
【０００９】
上記の課題を解決するために、本発明は次のように構成した。即ち、
請求項１に記載の制振防音床材は、衝撃緩衝材と吸音材とを下地材の裏面に交互に配して貼着するとともに、該下地材の表面には制振粘弾性層を介して高比重遮音制振材を貼着積層し、前記下地材と略相似形をなした前記高比重遮音制振材を、該下地材より各辺において長い構成としつつ、該高比重遮音制振材と該下地材とを並行にずらして貼着積層したことを特徴とする。
【００１０】
また、請求項２に記載の床構造は、請求項１に記載の制振防音床材を用いた床構造とし、該遮音制振材同士を突き当てた場合に、隣接する下地材間に一定の間隙を確保して縦横に敷き詰めたことを特徴とする。
【発明の効果】
【００１１】
本発明に係る制振防音床材によれば、高比重遮音制振材が透過音や振動を抑止するとともに軽量衝撃音を吸収し、衝撃緩衝材が衝撃力を最大限吸収し、階下への音（重量衝撃音）の影響を低減させ、さらに吸音材が残響音、こもり音を吸収するため、周囲への音の分散を防止することから、階下への制振、防音に優れた効果を奏することとなる。
【００１２】
また、本発明に係る床構造は、本発明に係る制振防音床材を、隣接する制振防音床材の遮音制振材に突き当てて縦横に敷き詰めてなることから、隣接する制振防音床材の下地材間に一定の間隙が確保されることとなる。そうすると、特定の床材に生じた衝撃が周囲の床材へと伝播することがなく、最小限の音源に留まることから、床構造全体としての制振防音効果が極めて高い。
【図面の簡単な説明】
【００１３】
【図１】図１は本発明に係る制振防音床材の裏面を示す図である。
【図２】図２は本発明に係る制振防音床材の表面を示す図である。
【図３】図３は本発明に係る制振防音床材の側面を示す図である。
【図４】図４はA-A断面における一部省略拡大断面図である。
【図５】図５は本発明に係る制振防音床材同士を敷き詰める様子を示した図である。
【図６】図６は本発明に係る制振防音床材同士を敷き詰めた様子を示した図である。
【図７】図７は本発明に係る制振防音床材を敷き詰めた上にフローリング材を敷く様子を示した図である。
【発明を実施するための形態】
【００１４】
以下、本発明の最良の実施形態を、以下の実施例において説明する。
【実施例１】
【００１５】
本発明の第一の実施例について図１乃至図４に基づき説明する。
図１は本発明に係る制振防音床材の裏面を示す図、図２は本発明に係る制振防音床材の表面を示す図、図３は本発明に係る制振防音床材の側面を示す図、図４はA-A断面における一部を省略した拡大断面図である。
【００１６】
本実施例は、本発明に係る床材であって、多層階住宅等において使用される矩形状の制振防音床材に関するものである。
【００１７】
図中において、１は本発明に係る制振防音床材本体、２は衝撃緩衝材、３は吸音材、４は制振粘着剤、１１は下地材、１２は遮音制振材、１３はフローリングである。
【００１８】
本実施例における制振防音床材１は矩形状をなし、全体の厚みは２２ｍｍとした。
【００１９】
衝撃緩衝材２は、軟質ウレタンフォームを粉砕したチップを主材料として、これにウレタン系接着剤を混合した上でプレス成型して得た。本実施例においては、長辺４４０ｍｍ、短辺４０ｍｍ、厚み１０ｍｍの棒状の衝撃緩衝材を使用する。
【００２０】
吸音材３はポリエステル不織布を材料とする。本実施例においては、長辺４４０ｍｍ、短辺２４０ｍｍ、厚み１０ｍｍの吸音材を使用する。    
【００２１】
制振粘着剤４は、接着機能以外の特性を備えた機能性接着剤であり、具体的には接着後もある程度の粘性を維持する。本実施例における制振粘着剤４は、アクリルエマルジョン系接着剤を必須成分とし、アクリルエマルジョン１００重量部に対して、充填剤を３００重量部配合した。該充填剤は３００重量部以下であれば適宜変更してよい。また、塗布膜厚は２０μ〜１００μ、好ましくは２０μ〜５０μであり、本実施例においては３０μとした（図３、図４）。
【００２２】
下地材１１は木質系ボードであり、本実施例においては、粉砕した木片の小片を接着剤と混合し、熱圧成形したパーティクルボードを使用した。長辺９１０ｍｍ、短辺４５０ｍｍ、厚み９ｍｍとする。
なお、その他の木質系ボード、例えばインシュレーションボードと呼ばれる軟質繊維板（木質系繊維を抄造成形し、常温乾燥したもの）、これより比重の大きいＭＤＦ(medium density fiberboard)と呼ばれる中質繊維板（乾燥した木質計繊維に接着剤を加え圧熱成形したもの）といったファイバーボードや、ラワン合板、シナ合板といった広葉樹合板や針葉樹合板、針葉樹と広葉樹を混合した複合合板のほか、これら合板を防虫薬剤で処理した防虫処理合板、難燃薬剤で処理した難燃処理合板、防炎用の薬剤で処理した防炎処理合板など各ボードの性状を考慮し、使用する部屋や用途に合わせて適宜採用してよい。
【００２３】
遮音制振材１２は、高比重遮音制振材であって、詳しくはタングステン、鉛、銅、鉄といった高比重金属粉末を、熱可塑性エラストマー或いは熱可塑性樹脂に所定の割合で含有させて得た比重２．０以上の板状樹脂組成物（ゴム系マット）である。本実施例においては比重２．３とした。また、本実施例における遮音制振材１２の大きさは、長辺９１５ｍｍ、短辺４５５ｍｍ、厚み３ｍｍである。
【００２４】
前述の下地材１１、遮音制振材１２の大きさは使用場所等に合わせて変更してよく、衝撃緩衝材２、吸音材３の大きさもこれらに合わせて適宜変更してよい。
【００２５】
図面に基づき、本発明に係る制振防音床材１の構成につき説明する。
【００２６】
下地材１１の裏面は、衝撃緩衝材２と吸音材３とを交互に配した構成とする。即ち、衝撃緩衝材２を下地材１１の短辺に平行に所定の間隔を設けて貼着するとともに、吸音剤３を該衝撃緩衝材２の間に貼着してなる。（図１）。
【００２７】
下地材１１の表面には、粘弾性接着剤４を介して遮音制振材１２を貼着積層するが、このとき、下地材１１と、該下地材１１より対応する各辺において長い遮音制振材１２とを並行にずらして貼着する。本実施例においては、両材各辺の長さの相違により、長辺方向に一端は３５ｍｍ（図２中「ａ１」）、他端において３０ｍｍ（図２中「ｂ１」）のズレを生じ、短辺方向に一端は３５ｍｍ（図２中「ａ２」）、他端において３０ｍｍ（図２中「ｂ２」）のズレを夫々意図的に生じさせた構成とする。
【００２８】
以上のごとく構成としたことで、制振防音床材本体１は、単体において、高比重遮音制振材が透過音や振動を抑止するとともに、軽量衝撃音を吸収し、衝撃緩衝材が衝撃力を最大限吸収し、階下への音（重量衝撃音）の影響を低減させ、さらに吸音材が残響音、こもり音を吸収するため、周囲への音の分散を防止することから、階下への制振、防音効果の優れた効果を奏することとなる。
そして、下地材と、下地材より対応する各辺において長い遮音制振材とを並行にずらして貼着積層した構成から、上記効果を部屋全体で享受しうるべく施工時の効率が大幅に向上することとなる。
【００２９】
本実施例における制振防音床材に、表面仕上げ材としてパイン無垢材のフローリング（厚み１５ｍｍ）を敷いた試験体につき床衝撃音レベル簡易測定を行ったところ、軽量衝撃音に対する遮音等級はＬＬ−４５と同程度という優れた結果が得られた。
【実施例２】
【００３０】
本発明の第二の実施例について説明する。図５は本発明に係る制振防音床材同士を敷き詰める様子を側面から模式的に示した図、図６は本発明に係る制振防音床材同士を敷き詰めた様子を示した図、図７は本発明に係る制振防音床材を敷き詰めた上にフローリング材を敷く様子を示した図である。
【００３１】
本実施例は、本発明に係る制振防音床材本体１を用いた床構造に関するものである。
【００３２】
本発明に係る制振防音床材本体１を敷き詰める際（図５）、制振防音床材（Ｘ）の遮音制振材１２の端面ａに、制振防音床材（Ｙ）の遮音制振材１２の端面ｂを突き当て、制振防音床材（Ｙ）の遮音制振材１２の端部と、制振防音床材（Ｘ）の下地材１１とをタッカー釘（ｔ）で留めて固定する（図６）。このようにして縦横に制振防音床材本体１を敷き詰めた制振防音床材上に、フローリング材１３を敷き詰めて床施工を行う（図７）。
【００３３】
本実施例における床構造によれば、図６に示すように、隣接する下地材間に一定の間隙（ｇ）が確保されることとなる結果、特定の制振防音床材に生じた衝撃が周囲の制振防音床材へ伝播することがなく、最小限の音源に留め得ることから、部屋全体としての制振防音効果が極めて高い床構造を得ることが可能となる。
【産業上の利用可能性】
【００３４】
本発明における制振防音床材並びに床構造は、集合住宅、多層階住宅に留まらず、振動や音の階下、隣接区域への伝播を防ぐ必要のあるあらゆる施設等に適用できることから、床施工上、大いに利用可能な発明として広く採用され、普及していくものである。
【符号の説明】
【００３５】
１  床材本体
２  衝撃緩衝材
３  吸音材
４  制振粘着剤
１１  下地材  
１２  遮音制振材
１３  フローリング 
【図１】
0005409255.tif 000002
【図２】
0005409255.tif 000003
【図３】
0005409255.tif 000004
【図４】
0005409255.tif 000005
【図５】
0005409255.tif 000006
【図６】
0005409255.tif 000007
【図７】
0005409255.tif 000008